(57)【要約】【課題】居室の熱エネルギーを、非居室空間に搬送して利用しうる。【解決手段】屋外Ｓｏの空気Ａｏを建物内部に供給する給気ファン２１と、建物内部の空気Ａｉを屋外Ｓｏに排出する排気ファン２２とを有する第一種換気設備２０を具えた建物の構造である。第一種換気設備２０は、給気ファン２１から供給される空気Ａｉを居室１３に供給する給気経路２３を有している。排気ファン２２が、トイレ、浴室及び洗面室の群から選ばれる少なくとも一つの非居室空間１４のみに設けられている。【選択図】図１
2015190656.tif 000002
【特許請求の範囲】
【請求項１】
屋外の空気を建物内部に供給する給気ファンと、建物内部の空気を屋外に排出する排気ファンとを有する第一種換気設備を具えた建物の構造であって、
前記給気ファンから供給される空気を居室に供給する給気経路を有し、
前記排気ファンが、トイレ、浴室及び洗面室の群から選ばれる少なくとも一つの非居室空間のみに設けられていることを特徴とする第一種換気設備を具えた建物の構造。
【請求項２】
前記給気ファンの給気量は、前記排気ファンの排気量よりも大きい請求項１記載の第一種換気設備を具えた建物の構造。
【請求項３】
前記建物は、基礎と、１階の床との間で区画された床下空間を具え、
前記給気ファンは、前記床下空間の空気を前記居室に供給する請求項１又は２記載の第一種換気設備を具えた建物の構造。
【請求項４】
前記基礎は、前記屋外と断熱されるとともに、前記屋外の空気を取り入れ可能な吸込口を有し、
前記給気経路は、前記床下空間の空気を前記給気ファンに供給するダクトを含む請求項３記載の第一種換気設備を具えた建物の構造。
【発明の詳細な説明】
【技術分野】
【０００１】
本発明は、居室の熱エネルギーを、非居室空間に搬送して利用しうる第一種換気設備を具えた建物の構造に関する。
【背景技術】
【０００２】
従来、屋外の空気を建物内部に供給する給気ファンと、建物内部の空気を屋外に排出する排気ファンとを有する第一種換気設備を具えた建物が提案されている。図３は、従来の第一種換気設備を具えた建物を示す断面図である。排気ファンａは、例えば、建物の小屋裏ｂに設けられている。このような排気ファンａは、建物内部の空気ｄを、天井ｃから小屋裏ｂを介して屋外ｅに排気することができる。
【先行技術文献】
【特許文献】
【０００３】
【特許文献１】特開２０１０−２７０９８６号公報
【発明の概要】
【発明が解決しようとする課題】
【０００４】
小屋裏に設けられた排気ファンａは、建物内部の空気ｄとともに、建物の居室ｆの熱エネルギーも、屋外ｅに排出してしまう。このため、上記のような建物では、居室ｆの熱エネルギーを、有効に利用していないという問題があった。
【０００５】
本発明は、以上のような実状に鑑み案出されたもので、トイレ、浴室及び洗面室の群から選ばれる少なくとも一つの非居室空間のみに、排気ファンを設けることを基本として、換気をしながら、居室の熱エネルギーを非居室空間へと搬送して利用しうる建物の構造を提供することを主たる目的としている。
【課題を解決するための手段】
【０００６】
本発明は、屋外の空気を建物内部に供給する給気ファンと、建物内部の空気を屋外に排出する排気ファンとを有する第一種換気設備を具えた建物の構造であって、前記給気ファンから供給される空気を居室に供給する給気経路を有し、前記排気ファンが、トイレ、浴室及び洗面室の群から選ばれる少なくとも一つの非居室空間のみに設けられていることを特徴とする。
【０００７】
本発明に係る前記建物の構造において、前記給気ファンの給気量は、前記排気ファンの排気量よりも大きいのが望ましい。
【０００８】
本発明に係る前記建物の構造において、前記建物は、基礎と、１階の床との間で区画された床下空間を具え、前記給気ファンは、前記床下空間の空気を前記居室に供給するのが望ましい。
【０００９】
本発明に係る前記建物の構造において、前記基礎は、前記屋外と断熱されるとともに、前記屋外の空気を取り入れ可能な吸込口を有し、前記給気経路は、前記床下空間の空気を前記給気ファンに供給するダクトを含むのが望ましい。
【発明の効果】
【００１０】
本発明の第一種換気設備を具えた建物の構造は、建物の構造は、屋外の空気を建物内部に供給する給気ファンと、建物内部の空気を屋外に排出する排気ファンとを有している。従って、本発明によれば、建物内部の空気を循環させて、効率よく換気しうる。また、本発明は、給気ファンから供給される空気を居室に供給する給気経路を有している。このような給気経路は、供給された空気の漏れを防ぐことができるため、建物内部を効率よく換気することができる。
【００１１】
排気ファンは、トイレ、浴室及び洗面室の群から選ばれる少なくとも一つの非居室空間のみに設けられている。これにより、本発明では、排気ファンが設けられたトイレ、浴室又は洗面室に、居室を経由した空気を確実に供給することができる。従って、本発明によれば、居室の熱エネルギーを、トイレ、浴室又は洗面室に積極的に搬送して、例えば暖房するためのエネルギーとして利用することができる。
【図面の簡単な説明】
【００１２】
【図１】本実施形態の建物の構造を示す断面図である。
【図２】図１の部分拡大図である。
【図３】従来の第一種換気設備を具えた建物を示す断面図である。
【発明を実施するための形態】
【００１３】
以下、本発明の実施の一形態が図面に基づき説明される。
図１は、本実施形態の建物の構造を示す断面図である。本発明の建物の構造は、後述する第一種換気設備を具えており、例えば、住宅やビル等の建物Ｂに適用することができる。本実施形態の建物Ｂは、土台や外壁等を支持する基礎２、該基礎２で支持される１階の床３、及び、基礎２と床３との間で区画された床下空間４を有している。
【００１４】
基礎２は、建物Ｂの外周に連続して配置されている。本実施形態の基礎２は、鉄筋コンクリート製の布基礎として構成されている。基礎２は、地中Ｇ内で水平にのびるベース部２ａと、該ベース部２ａの幅方向の略中央から上方へのび、かつ、地中Ｇから突出する立上がり部２ｂとを含んでいる。立上がり部２ｂは、床下空間４を囲むように配置されている。また、立上がり部２ｂの上面側には、例えば、土台（図示省略）を介して外壁６が固定されている。
【００１５】
本実施形態の基礎２の立上がり部２ｂには、断熱材５が設けられる。これにより、基礎２は、屋外Ｓｏと断熱することができる。断熱材５としては、例えば、耐熱性及び耐衝撃性に優れるポリスチレンフォーム、ウレタンフォーム、又は、フェノールフォーム等の板状体が採用されるのが望ましい。
【００１６】
立上がり部２ｂには、屋外Ｓｏの空気を取り入れ可能な吸込口９が設けられている。このような吸込口９は、新鮮な屋外の空気（以下、単に「外気」ということがある。）Ａｏを、床下空間４に供給することができる。
【００１７】
床下空間４には、該床下空間４の底面をなす土間コンクリート７と、土間コンクリート７に固定される束（図示省略）と、床３を支える大引き（図示省略）が配置されている。
【００１８】
土間コンクリート７は、床下空間４の空気（以下、単に「床下空気」ということがある。）Ａｉと、一年を通して温度変化が小さい地中熱とを熱交換可能な熱交換部１１として構成されている。このような床下空間４は、夏は外気よりも涼しく、冬は外気よりも暖かい床下空気Ａｉを蓄えることができる。しかも、本実施形態の床下空間４は、基礎２に設けられた断熱材５によって屋外Ｓｏと断熱されているため、床下空間４の温度変化を、効果的に小さくすることができる。
【００１９】
本実施形態の建物Ｂには、外壁６で囲まれる空間に、間仕切り壁１２が設けられている。これにより、建物Ｂの空間には、居室１３及び非居室空間１４が区分される。居室１３は、１階の居室１３ａと、２階の居室１３ｂとを含んでいる。また、非居室空間１４は、例えば、トイレ、浴室又は洗面室を含んでいる。
【００２０】
間仕切り壁１２には、開閉可能な扉１５が設けられている。扉１５には、居室１３又は非居室空間１４の空気を出し入れ可能な通気口１６が設けられている。本実施形態の通気口１６は、例えば、扉１５の下縁側に形成されている。これにより、建物Ｂは、居室１３と非居室空間１４との間で、建物内部の空気Ａｒを通過させることができる。
【００２１】
第一種換気設備２０は、外気Ａｏを建物内部に供給する給気ファン２１と、建物内部の空気Ａｉを屋外Ｓｏに排出する排気ファン２２とを含んで構成されている。さらに、本実施形態の第一種換気設備２０は、供給される外気Ａｏを居室１３に供給する給気経路２３を有している。
【００２２】
給気ファン２１及び排気ファン２２は、例えば、電動機（図示省略）によって回転するものである。これらの給気ファン２１及び排気ファン２２の起動及び停止は、例えば、建物Ｂに設けられた制御手段（図示省略）や、居住者の操作によって実施される。
【００２３】
本実施形態の給気ファン２１は、床下空間４内に設置されている。また、給気ファン２１は、床下空間４から給気経路２３に向かって気流を発生しうるように、給気経路２３に接続されている。これにより、給気ファン２１は、給気経路２３を介して、床下空気Ａｉ（外気Ａｏ）を、居室１３に供給することができる。
【００２４】
本実施形態の給気ファン２１には、その給気口に、フィルター等の浄化部材２５が設けられている。浄化部材２５は、外気Ａｏ中に含まれている花粉や大気汚染物質等を取り除くためのものである。従って、浄化部材２５は、花粉や大気汚染物質等が居室１３に侵入するのを防ぐことができるため、建物Ｂの室内空気質を高めることができる。
【００２５】
排気ファン２２は、トイレ、浴室及び洗面室の群から選ばれる少なくとも一つ、本実施形態ではトイレ、浴室及び洗面室の非居室空間１４のみに設けられている。本実施形態の排気ファン２２は、非居室空間１４から屋外Ｓｏに向かって気流を発生しうるように設置されている。これにより、排気ファン２２は、非居室空間１４を負圧にして、建物内部の空気Ａｒを屋外Ｓｏに排出することができる。
【００２６】
給気経路２３は、床下空間４と２階の天井との間を上下にのびる本体部２３ａ、本体部２３ａと１階の居室１３ａとを連通する１階の分岐部２３ｂ、及び、本体部２３ａと２階の居室１３ｂとを連通する２階の分岐部２３ｃを含んで構成されている。
【００２７】
本体部２３ａは、床下空間４側の一端に、給気ファン２１が接続されている。１階の分岐部２３ｂは、１階の天井に沿って水平にのび、かつ、１階の居室１３ａの天井に設けられる吹き出し口に接続されている。２階の分岐部２３ｃは、１階の分岐部２３ｂと同様に、２階の天井に沿って水平にのび、かつ、２階の居室１３ｂの天井に設けられる吹き出し口に接続されている。
【００２８】
本体部２３ａ、１階の分岐部２３ｂ、及び、２階の分岐部２３ｃは、建物Ｂの配管スペースに配置されたダクト２３Ａで形成されている。このような給気経路２３は、床下空間４から居室１３までの間、浄化されていない外気Ａｏ等が侵入するのを防ぐことができるため、建物Ｂの室内空気質を高めることができる。さらに、給気経路２３は、給気ファン２１から供給された床下空気Ａｉの漏れを防ぐことができるため、建物内部を効率よく換気することができる。
【００２９】
図２は、図１の部分拡大図である。給気経路２３には、床下空気Ａｉを給気ファン２１に供給するダクト２６が設けられるのが望ましい。ダクト２６の一端は、給気ファン２１に接続されている。ダクト２６の他端には、床下空間４内で開口する開口部２６ｏが設けられている。ダクト２６は、開口部２６ｏを床下空間４の任意の位置に配置することができる。このようなダクト２６は、床下空間４の任意の位置の床下空気Ａｉを、給気ファン２１に供給することができる。
【００３０】
ところで、外気Ａｏに含まれる花粉や大気汚染物質は、基礎２の吸込口９から床下空間４に侵入すると、外気Ａｏの勢いの低下によって、土間コンクリート７に沈降する。このため、ダクト２６の開口部２６ｏが、花粉や大気汚染物質が主として沈降する領域の外側に配置されることにより、花粉や大気汚染物質が給気ファン２１に直接供給されるのを防ぐことができる。従って、ダクト２６は、浄化部材２５の寿命を高めるのに役立つ。尚、花粉や大気汚染物質が主として沈降する領域とは、基礎２の吸込口９からの距離が１．５ｍ未満の吸込口９の近傍領域のことである。更に床下空間を複数の領域に区画する内部基礎等によって床下空間が区画されている場合、吸込口９と、ダクト２６の開口部２６ｏとが別の区画に配置されているとより好ましい。
【００３１】
次に、本実施形態の第一種換気設備２０の作用について説明する。図１に示されるように、第一種換気設備２０では、先ず、給気ファン２１によって、床下空気Ａｉ（図２に示す）が、給気経路２３の本体部２３ａに案内される。次に、本体部２３ａに案内された床下空気Ａｉは、本体部２３ａから１階の分岐部２３ｂ及び２階の分岐部２３ｃのそれぞれに案内される。１階の分岐部２３ｂに案内された床下空気Ａｉは、１階の吹き出し口を介して１階の居室１３ａに供給される。また、２階の分岐部２３ｃに案内された床下空気Ａｉは、２階の吹き出し口を介して２階の居室１３ｂに供給される。
【００３２】
このように、本実施形態の第一種換気設備２０では、夏は冷たく、冬は暖かい床下空気Ａｉを、１階の居室１３ａ及び２階の居室１３ｂに供給することができる。このような床下空気Ａｉは、例えば、１階の居室１３ａ及び２階の居室１３ｂを初期空調するのに役立つ。
【００３３】
１階の居室１３ａ及び２階の居室１３ｂは、床下空気Ａｉの給気によって正圧状態となる。一方、非居室空間１４は、排気ファン２２による建物内部の空気Ａｒの排気により、居室１３ａ、１３ｂに比べて負圧状態となる。このため、１階の居室１３ａ及び２階の居室１３ｂの空気Ａｒは、扉１５の通気口１６、廊下、吹き抜け、又は階段を介して、非居室空間１４に供給される。このように、本実施形態の第一種換気設備２０では、居室１３及び非居室空間１４を含む建物全体に、床下空気Ａｉ（外気Ａｏ）を循環させ、効果的に換気することができる。
【００３４】
上述したように、本実施形態の排気ファン２２は、トイレ、浴室及び洗面室の群から選ばれる少なくとも一つ、本実施形態ではトイレ、浴室及び洗面室の非居室空間１４のみに設けられている。従って、本実施形態の第一種換気設備２０では、居室１３を経由した空気Ａｒを、トイレ、浴室又は洗面室の非居室空間１４に、積極的に供給することができる。
【００３５】
例えば、冬季において、トイレ、浴室又は洗面室の非居室空間１４に供給される空気Ａｒは、居室１３に設けられた暖房装置によって暖められたものである。従って、本発明によれば、居室１３の熱エネルギーを、トイレ、浴室又は洗面室の非居室空間１４に積極的に搬送して、非居室空間１４を暖房するためのエネルギーとして利用することができる。これにより、本発明では、トイレ、浴室又は洗面室の非居室空間１４に空調装置を別途設けなくても効果的に暖めることができるため、該非居室空間でのヒートショックを防ぐのに役立つ。
【００３６】
また、夏季において、トイレ、浴室又は洗面室の非居室空間１４に供給される空気Ａｒは、居室１３に設けられた冷房装置によって冷やされたものである。従って、本発明によれば、居室１３の冷たい空気をトイレ、浴室又は洗面室の非居室空間１４に積極的に供給することができるため、該非居室空間１４での熱中症も防ぐことができる。
【００３７】
給気ファン２１の給気量は、排気ファン２２の排気量よりも大きいのが望ましい。なお、給気量は、給気ファン２１が複数存在する場合、全ての給気ファン２１の給気量の合計である。また、排気量は、排気ファン２２が複数存在する場合、全ての排気ファン２２の排気量の合計である。
【００３８】
これにより、第一種換気設備２０は、居室１３及び非居室空間１４を含む建物内部を正圧状態に維持することができるため、花粉や大気汚染物質が、建物Ｂの隙間等から居室１３に侵入するのを防ぐことができる。従って、本実施形態の第一種換気設備２０は、建物Ｂの室内空気質をより効果的に高めることができる。
【００３９】
このような作用を効果的に発揮させるために、給気ファン２１の給気量と、排気ファン２２の排気量との差は、１０ｍ3／ｈ〜２００ｍ3／ｈが望ましい。給気ファン２１の給気量と、排気ファン２２の排気量との差が１０ｍ3／ｈ未満であると、建物内部を、確実に正圧に維持することが難しくなる。逆に、給気ファン２１の給気量と、排気ファン２２の排気量との差が２００ｍ3／ｈを超えると、給気量が過度に大きくなるため、扉１５の開閉の抵抗が大きくなったり、風切り音が発生したりするおそれがある。
【００４０】
排気ファン２２の排気量は、トイレ、浴室及び洗面室の使用状況によって変化する。このため、給気ファン２１の給気量と排気ファン２２の排気量との差が、上記範囲に維持されるように、給気ファン２１の給気量がコントロールされるのが望ましい。これにより、建物Ｂは、建物内部を正圧状態に維持することができるため、花粉や大気汚染物質が侵入するのを防ぐことができる。
【００４１】
以上、本発明の特に好ましい実施形態について詳述したが、本発明は図示の実施形態に限定されることなく、種々の態様に変形して実施しうる。
【符号の説明】
【００４２】
１３      居室
１４      非居室空間
２０      第一種換気設備
２１      給気ファン
２２      排気ファン
２３      給気経路
【図１】
2015190656.tif 000003
【図２】
2015190656.tif 000004
【図３】
2015190656.tif 000005